(57)【要約】      （修正有）【課題】刷毛およびディップスティック等（以下刷毛等）付きねじ式蓋使用容器に関し、内容物の残量がわずかになっても確実に刷毛等を残量部分に届かせ内容物を使い切ることを可能にする。【解決手段】蓋部分に刷毛等が付属しているねじ式蓋使用容器において、容器の底部形状が内側に向かってすり鉢形かつ円錐状にくぼみ６を作り、容器底周縁部を肉厚７に厚くし中心部が刷毛等の形状に合わせて低くすることにより、液状の内容物が容器の底部中央部１２のくぼみに自然流下して集中することとなり、内容物の残量が少なくなった際でも、刷毛等の先端がその位置に届いて内容物を効率的に掬い出し、その結果、容器内に掬い残し残量がほとんど出さず、内容物を使い切ることに役立つ。【選択図】図２
0003109941.tif 000002
【実用新案登録請求の範囲】
【請求項１】
蓋部分に刷毛及びディップスティック等（以下刷毛等）が付属しているねじ式蓋使用容器において、容器の底部形状が内側に向かってすり鉢形かつ円錐状にくぼみができ、容器底中心部が周縁部を肉厚に厚くすることにより刷毛等の形状に合わせて低くなっていることを特徴とする、ねじ式刷毛等付き蓋使用容器の底部形状。
【考案の詳細な説明】
【技術分野】
【０００１】  本考案は、刷毛およびディップスティック等（以下刷毛等）付きねじ式蓋使用容器に関し、さらに詳細には、内容物の残量がわずかになっても確実に刷毛等を残量部分に届かせることが出来るようにした、刷毛等付きねじ式蓋使用容器の底部形状に関する。
【背景技術】
【０００２】従来マニキュアや接着剤、クリーム等の液状の物質を充填する小瓶サイズの刷毛等付きねじ式蓋使用ガラス容器では、ねじを閉めた状態で刷毛等の先端が容器底部にかろうじて着かない長さに設定されているのが通常である。このため従来の刷毛等付きねじ式蓋使用容器では、刷毛等を容器内に投入した際に刷毛等に触れる内容物を掬い出すことが可能であるが、内容物残量が少量になるにつれて、残量が平たく底辺に低く溜まり、ねじを開けた状態で刷毛等を投入しても内容物に触れる部分が限られてしまい、刷毛等が内容物に充分に届かないため、結果として残量が多少あっても刷毛等で掬い出す事ができず、最後まで内容物を使用出来ないことになっていた。また、容器を斜めに傾け刷毛等を内容物の残量部分に届かせることは可能であるが、マニキュアや接着剤等の性質上、乾燥し凝固するまでにはしばらく時間がかかるため、手が容器を傾ける余計な動きを加えることは好ましくない点、傾けて使用しても刷毛等の長さの関係上内容物が残る点、また刷毛使用の容器の場合ねじを締めた状態で放置した祭に、刷毛が内容物に浸からないことを原因として乾燥してしまう点、などの問題点が挙げられる。さらに刷毛等付きねじ式蓋使用ガラス容器では、ねじを閉め蓋に付属した刷毛等が内容物に浸かっている状態で内容物が容器内を満たしているため、使用するために容器内から蓋及び刷毛等を取り出すと、刷毛等および柄の分量の体積が減り、刷毛等からより届きにくい状態を助長させることになる。
【考案の開示】
【考案が解決しようとする課題】
【０００３】したがって、従来のねじ式蓋使用ガラス容器は、残量がわずかになると刷毛等が内容物を充分に掬い出す事が難しく、また最後まで内容物を使い切ることが難しかった。本考案は、上記問題を解決するための掬い残し残量を低減させる刷毛等付きねじ式蓋使用容器の底部形状を提供しようとするものである。
【課題を解決するための手段】
【０００４】このため本考案は、蓋部分に刷毛等が付属しているねじ式蓋使用容器において、容器の底部形状が内側に向かってすり鉢形かつ円錐状にくぼみができ、容器底中心部が周縁部を肉厚に厚くし刷毛等の形状に合わせて低くなっていることにより、課題解決のための手段とするものである。本考案のくぼみの構造としては、円錐の深さは刷毛等と同じ長さが必要で、円錐の太さは刷毛等が自由に挿入出できる太さを必要とし、くぼみの入り口部分は刷毛等が逆立たないよう挿入できるために上部がやや広がるすり鉢型が好ましい。また、マニキュアのように内容物をかき混ぜることを目的とした球体が入れられている場合には、円錐の太さは、刷毛等の太さと球体が同時に円錐の中にいてお互い円錐内で触れ合わない程度の太さが好ましい。
【考案の効果】
【０００５】本考案のよう基底部形状の構造とすることにより、容器内容物は常時容器の底部中央部のくぼみに自然流下して集中することとなり、最後になって残量が少なくなった際でも、容器の底部中央に内容物を集中させているため、刷毛等の下端がその位置に届いて内容物を効率的に掬い出し、その結果、容器内に掬い残し残量がほとんど出ないことになる。さらに、容器内底部の周辺部を肉厚に厚くされて出来たくぼみよりも上部分には、より多くの内容物が溜まり、容器の深さに合わせられた長さの刷毛等の先端部分が届きやすく、より内容物を掬い出しやすい事になる。
【考案を実施するための最良の形態】
【０００６】以下、本考案を図面に基づいて説明する。図１は従来例を示す。蓋部分に刷毛等が付属しているねじ式蓋を容器に閉めた状態で装着している場合（イ）と、使用するためにねじを開き刷毛等を容器内に差し込み内容物を掬いだそうとしている場合（ロ）示す。この場合、内容物はねじを開けることにより刷毛等の分の体積を失い１、底部に広く浅く溜まることとなる２。また刷毛等はねじ式の蓋に付属しているためねじを開けた状態では、蓋部分のねじの噛み合わせが重ならず３、刷毛先端が底部１２からより遠くなる４。その結果最終的には刷毛等の先端部分は充分に届かないため掬いだす事ができず５、内容物が残ってしまう。図２は、本考案の実施例を示す。（ハ）容器の底部形状が内側に向かってすり鉢形かつ円錐状にくぼみができ６、容器底周縁部が肉厚に厚くなり７中心部が刷毛等の形状に合わせて低くなっている８状態にする。この結果、（ニ）ねじを開けることによって容器内の内容物から刷毛等の体積を失っても、内容物は底部に広く浅く溜まることはなくなる９。またねじ式の蓋のねじを開けた状態で刷毛等を容器内に差し込んでも、刷毛等の先端部分を第一底辺には届かなくても１２第二底辺１０に届かせることは容易であるため、すり鉢形円錐状内の内容物１１以外の内容物は残さず最後まで掬いだすことができるようになった。本考案の底部形状は、膨出部断面が浅いすり鉢型でも深いすり鉢型でも良く、内容物の物上と刷毛やディップスティック等の掬いだす方法に対応し形状をコンロールすることができる。
【図面の簡単な説明】
【０００７】
【図１】従来の刷毛等付きねじ式蓋使用容器及び底部形状
【図２】本考案の底部構造
【符号の説明】
【０００８】      （イ）従来型の容器のねじ式蓋の開封前
（ロ）従来型の容器のねじ式蓋の開封後
（ハ）本考案の容器のねじ式蓋の開封前
（ニ）本考案の容器のねじ式蓋の開封後
１…（イ）と（ロ）の容器における内容物の深さの差
２…底部に浅く広がり溜まった内容物
３…ねじを回さずに蓋をした状態でのかみ合わない部分
４…刷毛先端から第一底部までの距離
５…刷毛等の先端部分が内容物に届く限界
６…すり鉢形かつ円錐状のくぼみ
７…容器底周縁部の肉厚部分
８…中心部が刷毛等の形状に合わせて低い
９…（ハ）と（ニ）の容器における内容物の深さの差
１０…本考案の容器によってできる浅いほうの底辺（第二底辺）
１１…本考案の容器のすり鉢形円錐状内に溜まる内容物
１２…容器の底部（第一底辺）
【図１】
0003109941.tif 000003
【図２】
0003109941.tif 000004